(57)【特許請求の範囲】
【請求項１】
被加熱物を載置する耐熱ガラスと、前記耐熱ガラスの下部に備えられ前記耐熱ガラスを介して前記被加熱物を加熱する加熱手段と、制御手段と、高温表示手段とを有し、前記制御手段は前記高温表示手段の表示が操作部の加熱停止動作したとき前記耐熱ガラスが所定の温度以上にてランプを点滅表示し、所定温度以下になればランプの点滅表示を停止するとともに、前記耐熱ガラス上より被加熱物を取り去ったときは耐熱ガラスが所定の温度以上にて警告音発生手段にて警告する構成とした加熱調理器。
【請求項２】
被加熱物を載置する耐熱ガラスと、前記耐熱ガラスの下部に備えられ前記耐熱ガラスを介して前記被加熱物を加熱する加熱手段と、制御手段と、高温表示手段とを有し、前記制御手段は前記高温表示手段の表示が操作部の加熱停止動作したとき前記耐熱ガラスが所定の温度以上で且つ被加熱物を取り去ったときはランプを点滅表示をし、前記耐熱ガラスが所定の温度以上であるが被加熱物が載置されたままのときは点灯表示をし、前記耐熱ガラスが所定温度以下になればランプによる点滅および点灯表示を停止するとともに、前記耐熱ガラス上より被加熱物を取り去ったときは耐熱ガラスが所定の温度以上にて警告音発生手段にて警告する構成とした加熱調理器。
【請求項３】
被加熱物を載置する耐熱ガラスと、前記耐熱ガラスの下部に備えられ前記耐熱ガラスを介して前記被加熱物を加熱する加熱手段と、制御手段とを有し、前記制御手段は操作部の加熱停止動作をし且つ前記被加熱物を取り去った場合であって、前記耐熱ガラスが所定の温度を越えるときは音にて警告する構成とした加熱調理器において、前記耐熱ガラスの略中央部にサーモクロミズム材を付加した高温表示部を備え、前記耐熱ガラスの高温表示部のサーモクロミズム材が赤色にて文字または絵を明示し高温注意を促すとともに蓋を付加したもので、前記蓋に開口部を備え前記耐熱ガラスを覆うように蓋をする構成とした加熱調理器。
【発明の詳細な説明】
【０００１】
【発明の属する技術分野】
本発明は加熱トップ面を耐熱ガラスにて形成し赤外線を放射するランプヒータ式の加熱調理器において、加熱後に加熱停止動作をし被加熱物を取り去った場合であって、耐熱ガラスが高温であるときは高温であることを報知する加熱調理器に関するものである。
【０００２】
【従来の技術】
従来この種の加熱調理器１としては実開平３−７２９０号公報がある。その構成について図１５および図１６を参照しながら説明する。
【０００３】
すなわち、被加熱物１８が載置されている場合は耐熱ガラス５の高温な加熱ゾーン３に触れることがないが、加熱後に被加熱物１８を取り去ったとき耐熱ガラス５の高温な加熱ゾーン３に手など触れないように注意を喚起するための配慮をしたものである。具体的に述べると、加熱トップ面２は加熱ゾーン３と非加熱ゾーン４を有する赤外線を透過する耐熱ガラス５にて形成し上面ケース６と接着剤７にて一体化するとともに、下面ケース８の内部に加熱部９を備えスプリングバネ１０にて支えたもので前記上面ケース６と下面ケース８とはねじ１１にて固定することにより結合したものである。
【０００４】
前記加熱部９は加熱トップ面２の加熱ゾーン３直下に設けたもので、下面ケース８内部に赤外線を放射するランプヒータ１２を複数本並行に配設するとともに、上方を加熱トップ面２の耐熱ガラス５に当接したもので、上面ケース６には操作部１３として加熱開始ボタン１４と加熱停止ボタン１５を備えている。
【０００５】
なお、加熱ゾーン３は加熱部９の直径と略同径とし加熱ゾーン３より外周を非加熱ゾーン４と表現している。
【０００６】
そして、前記耐熱ガラス５の直下においてランプケース１６の内側に表示ランプ１７を備え高温表示をするものである。
【０００７】
また、加熱調理器１の動作としては加熱開始ボタン１４を押し通電を開始すると加熱部９内部の複数本のランプヒータ１２が発熱し直上部に位置した加熱トップ面２の耐熱ガラス５を透過し鍋などの被加熱物１８を伝導とふく射により加熱するもので加熱停止ボタン１５を押すことにより加熱が終了する。加熱後に耐熱ガラス５が高温ならば前記表示ランプ１７が動作し高温であることを知らせるものである。
【０００８】
さらに、表示ランプ１７の制御としては耐熱ガラス５直下の加熱部９の内部に耐熱ガラス５と平行に棒状の熱膨張式の温度センサ１９を備え（耐熱ガラス５に接していない）、伸び縮みにてマイクロスイッチ２０を動作させ耐熱ガラス５が所定温度以上であれば表示ランプ１７を点滅表示し、耐熱ガラス５が所定温度以下になれば表示ランプ１７を停止するものであった。
【０００９】
【発明が解決しようとする課題】
しかしながら、図１５および図１６で示した上記従来の加熱調理器１は、耐熱ガラス５の非加熱ゾーン４直下に備えた表示ランプ１７にて高温を表示するもので、注意が喚起できるものの最も高温な箇所が被加熱物１８直下の加熱ゾーン３であり表示箇所としては最適でない。
【００１０】
また、加熱後に加熱トップ面２より被加熱物１８を取り去り別の場所（例えば、台所）に持ち運んだ際に、表示ランプ１７が視野から消えて、ついうっかりして加熱調理器１より離れたままになることがある。この間に幼児が高温の加熱調理器に近づいたとき、これを注意するのを忘れてしまうなどの問題があった。
【００１１】
さらに、高温の耐熱ガラスに触れないように注意する報知以外に、高温の耐熱ガラスに触れなくする手段（例えば、蓋をするなど）の明示がない。
【００１２】
【課題を解決するための手段】
本発明は上記課題を解決するために、加熱後に加熱停止動作をし鍋などの被加熱物を移動させた場合、被加熱物を載置していた耐熱ガラスの表面が高温であるときは、被加熱物が取り去られたことを検知し、そのことを報知するために音で警告するようにした。
【００１３】
上記発明によれば、耐熱ガラスの表面が高温であることを音により警告しているので、加熱調理器より離れていても耐熱ガラスが高温であることがわかるため、幼児が近づいた場合、注意を与えることができる。
【００１４】
【発明の実施の形態】
本発明は、被加熱物を載置する耐熱ガラスと、前記耐熱ガラスの下部に備えられ前記耐熱ガラスを介して前記被加熱物を加熱する加熱手段とを有するもので、加熱後に操作部の加熱停止動作をし且つ前記被加熱物を取り去った場合であって、前記耐熱ガラスが所定の温度を越えるときは音にて警告し高温の前記耐熱ガラスに触れないように注意を喚起するようにしたものである。
【００１５】
そして、加熱後に耐熱ガラスが熱いことを音により警告するので、分別のつかない幼児が加熱調理器に近づいたとき、分別のある人（例えば、親など）が注意することができる。
【００１６】
また、加熱後に操作部の加熱停止動作をせずに被加熱物を取り去ったときはマイコンがこれを検知し耐熱ガラスが所定温度以上であるが調理加熱継続中と判別し音にて警告しないようにしたものである。
【００１７】
そして、被加熱物を取り去り、中味を追加するとか被加熱物を変える場合にその都度音により警告すると煩わしいものである。そこでこの場合は音にて警告せず使い勝手を良くしたものである。
【００１８】
また、耐熱ガラスを覆うように蓋をすることにより警告音を停止させるとともに高温の前記耐熱ガラスに触れなくしたものである。
【００１９】
そして、蓋により高温の耐熱ガラスに触れることが無くより安全となる。
また、加熱後に操作部の加熱停止動作をし且つ被加熱物を取り去った時に耐熱ガラスが所定温度以上であれば音にて警告し前記耐熱ガラスを覆うように蓋をすることにより警告音を停止させる以外に、前記警告音発生中に予めマイコンに記憶させている内容と合致する加熱停止動作をすることにより前記警告音が解除できる構成としたものである。
【００２０】
そして、マイコンに警告音を解除するソフトを付加したことにより周囲の状況により使いわけができ便利である。
【００２１】
また、耐熱ガラスの面より被加熱物を取り去ったことを検出する被加熱物有無判定手段を備え、前記耐熱ガラスの温度を計測する温度計測手段としての温度センサにて高温表示手段と警告音発生手段とを動作させるもので、前記高温注意表示は加熱後に操作部の加熱停止動作すればランプによる点滅表示をするのに対して、前記警告音発生手段は加熱後に操作部の加熱停止動作をし且つ被加熱物を取り去ったとき前記耐熱ガラスが所定温度以上であれば音にて警告するものとし、前記耐熱ガラスが所定温度以下になればランプによる点滅表示と音による警告を停止してなるもの。
【００２２】
そして、加熱停止動作をすれば即座にランプにより点滅表示し、さらに、被加熱物を取り去ると即座に音にて警告することにより耐熱ガラスが高温であることに対してより注意が喚起できる。
【００２３】
また、耐熱ガラスの面より被加熱物を取り去ったことを検出する被加熱物有無判定手段を備え、前記耐熱ガラスの温度を計測する温度計測手段としての温度センサにて高温表示手段と警告音発生手段とを動作させるもので、高温表示手段と制御手段は前記高温表示手段の表示が加熱後に操作部の加熱停止動作したとき耐熱ガラスが所定の温度を越え且つ前記被加熱物を取り去ったときに点滅表示をし、耐熱ガラスが所定の温度を越えているが前記被加熱物が載置されたままのときは点灯表示をし、前記耐熱ガラスが所定温度より低くなればランプによる点滅および点灯表示を停止してなるもの。
【００２４】
そして、加熱停止動作後直ぐに前記被加熱物を取り去ったときは即座にランプにより点滅表示し、前記被加熱物を載置のままでは音による警告なくランプは点灯のままであり、被加熱物を取り去った時の耐熱ガラスの高温に対して注意を喚起するもの。
【００２５】
また、耐熱ガラスの直下に加熱手段を有するコンロ部を備え前記耐熱ガラスの略中央部に高温表示部を備えたもので、前記高温表示部にサーモクロミズム材を付加するとともに、前記コンロ部の内部に前記高温表示部が前記加熱手段よりの高温熱を遮蔽するためのガイド筒を備え一方の面を前記耐熱ガラスの高温表示部に当接し他方を開口したもので、前記耐熱ガラスの高温時に前記サーモクロミズム材が赤色にて文字または絵を明示し注意を喚起するようにしたもの。
【００２６】
そして、耐熱ガラスの最も高温である加熱ゾーンに高温表示部を備えたこととサーモクロミズム材が赤色にて文字または絵を明示するものであり、最も判りやすく最も低コストにて実現できる。
【００２７】
さらに、耐熱ガラスの高温表示部を凹形状にし、前記凹形状のくぼんだ部分にサーモクロミズム材を付加し被加熱物にてこすれて消えることのない構成であり、サーモクロミズム材による赤色の文字または絵の明示が長期間使用していても消えることが無い。
【００２８】
さらに、耐熱ガラスの高温表示部のサーモクロミズム材が赤色にて文字または絵を明示し高温注意を促すとともに蓋を付加したもので、前記蓋に窓を備え前記耐熱ガラスを覆うように前記蓋したときに、前記窓より前記高温表示部が見えるとともに高温の前記耐熱ガラスに触れることのない構成である。
【００２９】
そして、耐熱ガラスの最も高温である加熱ゾーンに高温表示されるために注意が喚起できるとともに、蓋をすることにより高温の耐熱ガラスに触れることがなく安全である。また、収納に際し温度的に大丈夫か否かの判別ができ便利である。
【００３０】
【実施例】
以下、本発明の一実施例について図面を用いて説明する。
【００３１】
（実施例１）
図１は本発明の実施例１の加熱調理器の外観図である。また図２は同加熱調理器の断面図である。また図３は同加熱調理器の制御回路ブロックである。
【００３２】
図において、加熱調理器は上面ケース２１と下面ケース２２とを結合した構成である。そして、上面ケース２１は底部に開口部２３を備えた凹部２４を有し被加熱物１８を載置する耐熱ガラス５を載せ接着７して形成するとともに、側面に加熱開始ボタン１４と加熱停止ボタン１５等からなる操作部１３とを備えている。
【００３３】
また、下面ケース２２は耐熱ガラス５の直下に設けられ加熱手段としての赤外線を放射するランプヒータ１２と温度測定手段としての温度センサ２５とを内蔵したコンロ部９（加熱部）と、下面ケース２２とコンロ部９との間に設けられコンロ部の上方部および温度センサ２５が耐熱ガラス５に当接するよう附勢するスプリングバネＡ１０とを備えた構成となっている。
【００３４】
なお、本実施例では温度センサ２５は段付きガイド筒２６の内部にてスプリングバネＢ２７により耐熱ガラス５に当接するように設けられている。また、耐熱ガラス５の大きさはコンロ部９の大きさより大きい。したがって、耐熱ガラス５はコンロ部９により直接加熱される加熱ゾーン３と直接加熱されない非加熱ゾーン４とより形成し接着７は非加熱ゾーン４にて行っている。
【００３５】
さらに、本実施例では上面ケース２１に備えた凹部２４の内部で耐熱ガラス５より上側の位置に被加熱物１８の有無を検出するために一対の発光素子２８と受光素子２９を対向して備えている。３３はマイコンである。
【００３６】
上記図１から図３の構成において動作を説明する。加熱調理器は加熱開始ボタン１４を押し通電を開始すると、加熱部９内部の複数本のランプヒータ１２が発熱し直上部の耐熱ガラス５を加熱するとともに透過し鍋などの被加熱物１８を伝導と輻射により加熱する。このとき、耐熱ガラス５の温度は被加熱物の底の形状および材質により異なるものの３５０℃〜４５０℃となる。加熱終了は加熱停止ボタン１５を押すことにより加熱部９内部の複数本のランプヒータ１２がＯＦＦするものの、発光素子２８と受光素子２９、温度センサ２５の動作機能はＯＮのままである。
【００３７】
従って、加熱停止ボタン１５を押し加熱を終了し耐熱ガラス５面より被加熱物１８を取り去ると高温の耐熱ガラス５の温度を温度センサ２５にて検出するとともに発光素子２８よりの光は小孔Ａ３０を透過し受光素子２９の小孔Ｂ３１を介して受光することになり制御回路のブザー３２がＯＮされて警告音を発する。
【００３８】
そして、警告音が発せられたままにて報知しておいた場合は耐熱ガラス５の温度が５０℃前後に低下したことを温度センサ２５が検知すると、制御回路のブザー３２がＯＦＦし警告を終了することになる。この温度は短時間手を触れても火傷に至らず熱いと感じるレベルである。なお、５０℃前後とはバラツキを考慮した温度幅である。
【００３９】
さらに、被加熱物１８を載置せずに、加熱開始ボタン１４を押して通電を開始した場合（空焚き）にも、加熱停止ボタン１５を押すことにより前記同様に制御回路のブザー３２がＯＮされて音にて警告される。
【００４０】
なお、制御回路上は加熱を終了するために加熱停止ボタン１５を押し加熱手段の電源をＯＦＦしたときに温度センサ２５、発光素子２８と受光素子２９およびブザー３２が動作開始する等の構成としてもよい。
【００４１】
この際、ブザー３２による警告音にて述べてきたが、熱いですよという音声を流す、メロディーを流すなどの手段でもよい。
【００４２】
なお、本実施例でいう加熱後とは、加熱手段（ランプヒータ１２）をＯＦＦとし、被加熱物１８を取り去ったとき耐熱ガラス５が高温である場合をいう（以下の実施例でも同じ）。
【００４３】
以上のように、本実施例１によれば、（１）コンロ部に内蔵した温度センサと一対の発光、受光素子にて耐熱ガラスの温度と被加熱物載置の有無が確実に検出できる。（２）加熱後に加熱停止動作をし被加熱物を取り去ると耐熱ガラスが高温であることを音にて警告する構成なので、注意が喚起できるとともに、加熱調理器から離れたとしても聞こえるためうっかり防止となる。（３）分別のつかない幼児が加熱調理器に近づいたとき、分別のある人（例えば、親など）が注意することができる。
【００４４】
（実施例２）
本発明の実施例２の加熱調理器は、実施例１（図１、２、３）の構成と全く同様とし、制御ソフトが相違するものである。
【００４５】
加熱停止ボタン１５を押して加熱を終了し耐熱ガラス５面より被加熱物１８を取り去ったときにブザー３２の音にて警告するものに対して、加熱途中または加熱後に操作部１３の加熱停止ボタン１５を動作せずに被加熱物１８を取り去ったときはマイコン３３がこれを検知し、耐熱ガラス５が所定温度以上であるがブザー３２の音にて警告しないようにしたもの。これは、（１）被加熱物１８を取り去り中味を追加する場合または被加熱物１８を別の被加熱物１８に変える場合などにおいてその都度ブザー３２の音により警告すると煩わしいものである。（２）コンロ部９内部の複数本のランプヒータ１２が発熱し赤外線を放射しているため加熱運転中であることが明らかであり耐熱ガラス５に触れることがないと考えられるためである。つまり、加熱の継続動作と判断するためと使い勝手を良くしたものである。
【００４６】
以上のように、本実施例２によれば、（１）マイコンのソフトにて対応するためにコストアップにならずに使い勝手を良くしたものである。
【００４７】
（実施例３）
図４は本発明の実施例３の加熱調理器の蓋の外観図である。また図５は同加熱調理器の蓋をしたときの断面図である。
【００４８】
図において、加熱調理器は実施例１、２と同様に上面ケース２１と下面ケース２２とを結合した構成であり、これに、上面ケース２１および耐熱ガラス５を覆うような蓋３４を付加したものである。
【００４９】
すなわち、蓋３４は内側に発光素子２８の光を遮蔽する遮蔽体３５を備え、上面には耐熱ガラス５よりの熱気が取り出せるように小孔３６を複数個備えている。また、蓋３４の内側で遮蔽体３５より小径にて断熱性部材プレート３７を備えたものである。
【００５０】
以上のように、本実施例３によれば、（１）耐熱ガラスを覆うように蓋をすることにより警告音を停止させるとともに高温の前記耐熱ガラスに触れなくしたものでありより安全となる。（２）蓋は高温の耐熱ガラスよりの輻射熱が伝わりにくくした構成であり、より安全となる。
【００５１】
（実施例４）
本発明の実施例４の加熱調理器は実施例１、３と同構成であり図１から図５に基ずいて説明する。
【００５２】
違いは蓋３４をすることにより警告音を停止させる以外に警告音を停止させる構成を付加したものである。
【００５３】
すなわち、予めマイコン３３に記憶させている内容と合致する加熱停止動作をすることにより前記警告音が解除できる構成としたもので、（１）加熱後に被加熱物１８を取り去り、操作部１３の加熱停止ボタン１４を２秒以上押し続けると警告音発生中であるが警告音が解除できる。（２）加熱後に被加熱物１８を取り去り、操作部１３の加熱停止ボタン１４を２回以上押すと警告音発生中であるが警告音が解除できるなどである。
【００５４】
つまり、この種の加熱調理器は分別のない幼児または子供たちが高温の耐熱ガラス５に手を触れて火傷をしないように注意を喚起するために、耐熱ガラス５が高温のとき音にて警告し親に対して注意を喚起するためのものである。そして、より安全のために蓋３４をするものである。しかし、幼児のいない成人だけの家族にて使用する場合に加熱後は耐熱ガラス５よりの輻射熱により高温であることが直ぐに判るので注意をするものであり、こういう家族構成の家庭ではこの種の加熱調理器を使用する場合には注意を喚起するための警告音は簡単でよく、ひつこくするとやかましく感じるものである。そこで、警告音発生中であるが蓋３４をする以外の手段にて解除できるようにしたものである。
【００５５】
以上のように、本実施例４によれば、（１）マイコンに警告音を解除するソフトを付加したことにより周囲の状況によりうるさく感じることの無いように使いわけができ便利である。（２）最も安価にて実現できる。
【００５６】
（実施例５）
図６は本発明の実施例５の加熱調理器の外観図である。また図７は同加熱調理器の要部断面図である。また図８は同加熱調理器の制御回路ブロック図である。
【００５７】
実施例１と同様な構成とし違いは操作部１３に高温表示手段としてランプ３８を備えたものである。ここでは、図２、６、７、８に基づいて説明する。
【００５８】
つまり、耐熱ガラス５の面より被加熱物１８を取り去ったことを検出する手段は実施例１と同様とし、耐熱ガラス５の温度を計測する温度計測手段としての温度センサ２５は高温表示手段としてのランプ３８と警告音発生手段としてのブザー３２を動作させるものである。
【００５９】
そして、高温表示手段は加熱後に操作部１３の加熱停止ボタン１５を押すとランプ３８による点滅表示をするのに対して、警告音発生手段としてのブザー３２は加熱後に操作部１３の加熱停止動作（加熱停止ボタン１５を押す）をし且つ被加熱物１８を取り去ったときに耐熱ガラス５が所定温度以上であれば音にて警告するものとし、耐熱ガラス５が所定温度以下になればランプ３８による点滅表示と音による警告を停止したもの。
【００６０】
なお、所定温度とは耐熱ガラス５の温度が５０℃前後としている。この温度は短時間手を触れても火傷に至らず熱いと感じるレベルである。
【００６１】
以上のように、本実施例５によれば、（１）加熱停止動作をすれば即座にランプにより点滅表示し、さらに、被加熱物を取り去ると即座に音にて警告することにより耐熱ガラスが高温であることに対してより注意が喚起できる。
【００６２】
（実施例６）
本発明の実施例６は実施例５と同様な構成である。制御ソフトが異なるものである。図２、６、７、８に基づいて説明する。
【００６３】
耐熱ガラス５の面より被加熱物１８を取り去ったことを検出する手段は実施例１と同様とし、耐熱ガラス５の温度を計測する温度計測手段としての温度センサ２５は高温表示手段としてのランプ３８と警告音発生手段としてのブザー３２を動作させるものである。
【００６４】
そして、高温表示手段と警告手段は加熱後に操作部１３の加熱停止ボタン１５を押すと、（１）耐熱ガラス５の上に被加熱物１８を載置したままの場合には、耐熱ガラス５が所定温度以上にてランプ３８による点滅表示し、耐熱ガラス５が所定温度以下になるとランプ３８による点滅表示を停止する。このときは、音による警告がない。（２）そして、耐熱ガラス５が所定温度以上のときに、被加熱物１８を取り去るとランプ３８による点滅表示と同様に音により警告が開始される。その後、耐熱ガラス５が所定温度以下になるとランプ３８による点滅表示と同様に音による警告を停止する。
【００６５】
他の実施例としては警告手段は同一であるが、高温表示手段が異なる。つまり、耐熱ガラス５の上に被加熱物１８を載置したままの場合には、耐熱ガラス５が所定温度以上にてランプ３８による点灯表示し、被加熱物１８を取り去るとランプ３８による点滅表示としたものである。これは、被加熱物１８を取り去ったときに高温の耐熱ガラス５に手を触れないようにより注意を促すためにである。
【００６６】
なお、所定温度に関しては実施例５と同様である。
以上のように、本実施例６によれば、加熱停止動作後直ぐに被加熱物を取り去ると即座にランプが点滅表示し、即座に音にて警告する。しかし、加熱停止動作直後に被加熱物を載置したままであるとランプは点灯表示するものであり、耐熱ガラスが高温であることに対してより注意が喚起できる。
【００６７】
（実施例７）
図９は本発明の実施例７の加熱調理器の外観図である。また図１０は同加熱調理器の断面図である。また図１１は同加熱調理器の高温表示部の絵図である。
【００６８】
図において、加熱調理器は上面ケース２１と下面ケース２２とを結合した構成である。上面ケース２１は底部に開口部２３を備え被加熱物を載置する耐熱ガラス５を載せ接着して形成している。また、下面ケース２２は耐熱ガラス５の直下に設けられ加熱手段としての赤外線を放射するランプヒータ１２を内蔵したコンロ部９（加熱部）と、下面ケース２２とコンロ部９との間に設けられコンロ部の上方部が耐熱ガラス５に当接するよう附勢するスプリングバネＡ１０とを備えた構成としている。３９は冷却ファンで、４０は冷却ファンよりの風を受けやすくした受風板である。
【００６９】
そして、耐熱ガラス５の略中央部に高温表示部４１を備え、ここにサーモクロミズム材（示温塗料）４２を付加したもので、コンロ部９の内部に高温表示部４１が加熱手段としての赤外線を放射するランプヒータ１２よりの高温熱を遮蔽するためにガイド筒４３を備え、ガイド筒４３の一方の上面を耐熱ガラス５の裏面より高温表示部４１に向けて当接し他方は開口したものである。この際、ガイド筒４３はコンロ部９と一体化している。
【００７０】
また、ガイド筒４３は赤外線を反射する処理をしたアルミ材料にて形成しランプヒータ１２よりの高温の熱を反射し吸熱を少なくしている。さらに、他方を開口するとともにガイド筒４３の内部にまで臨ませた受風板４０により冷却ファン３９の風が上手く対流し高温表示部４１が冷却されるものである。これにより、従来は耐熱ガラス５の中央部は高温になりとても高温用のサーモクロミズム材４２を用いたとしても温度的に耐えれなく無理であったがついに実現したものである。
【００７１】
つまり、耐熱ガラス５の大きさはコンロ部９の大きさよりも大きく、コンロ部９により直接加熱される加熱ゾーン３と直接加熱されない非加熱ゾーン４とより構成されるものであるが、高温表示部４１は最も高温となる加熱ゾーン３の略中央部に備えたものである。
【００７２】
上記図９から図１１の構成において動作を説明する。加熱調理器は加熱開始ボタン１４を押し通電を開始すると、加熱部９内部の複数本のランプヒータ１２が発熱し直上部の耐熱ガラス５を加熱するとともに透過し耐熱ガラス５の上に載置した鍋などの被加熱物を伝導と輻射により加熱する。このとき、耐熱ガラス５の温度は被加熱物の底の形状および材質により異なるが３５０℃〜４５０℃となるものの、略中央部の高温表示部４１は裏面より冷却ファン３９にて冷却されているために１００℃〜１２０℃である。
【００７３】
加熱終了は加熱停止ボタン１５を押すことにより加熱部９内部の複数本のランプヒータ１２がＯＦＦする。このとき、耐熱ガラス５より被加熱物を取り去ると耐熱ガラス５の略中央部の高温表示部４１はサーモクロミズム材（示温塗料）４２が赤色にて文字または絵（ここでは、一例として手形に斜めバーを付加した社会的に認知度の高いマークを記載）にて明示されているために注意が喚起できるものである。
【００７４】
そして、高温表示部４１のサーモクロミズム材（示温塗料）４２は耐熱ガラス５の温度が４０℃程度に低下するともとの白色に戻る。この際、実験データの一例としては高温表示部４１の温度が４０℃のとき、高温表示部４１を除く他の部分の耐熱ガラス５は５０℃程度であり、この温度であれば短時間手を触れても火傷に至らず熱いと感じるレベルであり良い。
【００７５】
以上のように、本実施例７によれば、（１）耐熱ガラスの最も高温である加熱ゾーンに高温表示部を備えたことにより最も判りやすい。（２）サーモクロミズム材を赤色にて文字または絵を明示するものであり最も低コストにて実現できる。
【００７６】
（実施例８）
図１２は本発明の実施例８の加熱調理器の断面図である。
【００７７】
実施例７と同様な構成であり図１１、１２にて説明する。違いは耐熱ガラス５の略中央部の高温表示部４１の部分をサークル状に凹形状４４とし凹形状４４のくぼんだ部分にサーモクロミズム材（示温塗料）４２を付加し、被加熱物１８にてこすれて消えることのない構成としたもの。
【００７８】
以上のように、本実施例８によれば、サーモクロミズム材による赤色の文字または絵の明示が長期間使用していても消えることが無い。
【００７９】
（実施例９）
図１３は本発明の実施例９の加熱調理器の蓋の外観図である。図１４は同加熱調理器の蓋をしたときの断面図である。
【００８０】
実施例７とは同様な構成であり、これに耐熱ガラス５を覆うような蓋４５を付加したものである。
【００８１】
つまり、耐熱ガラス５の最も高温である加熱ゾーン３に高温表示部４１を備えサーモクロミズム材（示温塗料）４２を赤色の文字または絵にて明示し注意を喚起し易くしたものに蓋４５を備え、加熱後に耐熱ガラス５の上より被加熱物を取り去り高温の耐熱ガラス５に触れにくくしたものである。
【００８２】
蓋４５は略中央部に窓４６を備えたもので、窓４６は耐熱ガラス５を覆うような蓋４５をしたとき耐熱ガラス５の高温表示部４１と対応し窓４６越しに高温表示部４１のサーモクロミズム材（示温塗料）４２の文字または絵が見えるようにしたものである。また、窓４６の外周部に小孔４７を複数個備え直下にある耐熱ガラス５の熱気を取り出す構成としている。
【００８３】
さらに、蓋４５の内側には略中央部に高温表示部４１と同直径の孔４８を有する断熱性部材プレート４９を備えたものである。
【００８４】
上記の構成において、高温表示部４１のサーモクロミズム材（示温塗料）４２が温度低下し白色に戻ったときに蓋４５をして収納する。または、加熱後少し時間が経過し耐熱ガラス５の温度が加熱直後より低くなったときに蓋４５をし窓４６越しにサーモクロミズム材（示温塗料）４２が白色に戻ったことを確認しこの段階にて収納すればよい。
【００８５】
以上のように、本実施例９によれば、（１）サーモクロミズム材による赤色の文字または絵の明示による注意喚起だけでなく蓋をすることにより高温の耐熱ガラスに触れることがなく安全である。（２）加熱後に蓋ができるためより安全であるとともに、収納に際し温度的に大丈夫か否かの判別ができ便利である。
【００８６】
【発明の効果】
以上説明したように、本発明の加熱調理器によれば、次の効果が得られる。
【００８７】
（１）加熱後に操作部の加熱停止動作をし且つ被加熱物を取り去った場合であって、耐熱ガラスが所定の温度を越えるときは音にて警告するようにした構成であり、使い勝手を良くし且つ加熱調理器を離れたときのうっかり防止ができる。さらに、分別のつかない幼児が加熱調理器に近づいたときも分別のある人（例えば、親など）が注意することができる。
【００８８】
（２）加熱後に操作部の加熱停止動作をせずに被加熱物を取り去ったときはマイコンがこれを検知し調理加熱継続中と判別し音にて警告しない構成であり、被加熱物を取り去り中味を追加するとか被加熱物を変える場合にその都度音により警告すると煩わしいものであるがこの場合は音にて警告せず使い勝手を良くしたものである。
【００８９】
（３）耐熱ガラスを覆うように蓋をすることにより警告音を停止させる構成であり、蓋をすることにより高温の耐熱ガラスに触れることが無くより安全となる。
【００９０】
（４）ランプによる点滅表示は加熱後に操作部の加熱停止動作すれば即座に機能させるのに対して、音による警告は加熱後に操作部の加熱停止動作をし且つ被加熱物を取り去ったとき耐熱ガラスが所定温度以上で動作機能するものである。
【００９１】
これにより、加熱停止動作をすれば即座にランプにより点滅表示し、被加熱物を取り去ると即座に音にて警告するものまたは、加熱停止動作をすれば即座に点灯表示し、直後に被加熱物を取り去ると点滅表示に切り替え且つ、音にて警告するものであり、音による警告と高温注意ランプのダブルにて知らせ、耐熱ガラスが高温であることに対してより注意が喚起できる。
【００９２】
（５）コンロ部内部のガイド筒にて加熱手段よりの高温熱を遮蔽した高温表示部を耐熱ガラスの略中央部に備え、ここにサーモクロミズム材を付加した構成であり、耐熱ガラスの最も高温である加熱ゾーンにサーモクロミズム材が赤色にて文字または絵を明示するものであり、最も判りやすくて注意が喚起できるとともに最も低コストにて実現できる。
【００９３】
（６）耐熱ガラスの高温表示部を凹形状にし、このくぼんだ部分にサーモクロミズム材を付加したもので、被加熱物にてこすれて消えることのない構成であり、サーモクロミズム材による赤色の文字または絵の明示が長期間使用していても消えることが無い。
【００９４】
（７）高温表示部を備えた耐熱ガラスを覆うように、窓を備えた蓋をしたときに窓より高温表示部が見える構成であり、耐熱ガラスの最も高温である加熱ゾーンに高温表示されているために注意が喚起できるとともに、蓋をすることにより高温の耐熱ガラスに触れることがなく安全である。また、収納に際し温度的に大丈夫か否かの判別ができ便利である。
【図面の簡単な説明】
【図１】本発明の実施例１、２、４における加熱調理器の外観図
【図２】同加熱調理器の断面図
【図３】同加熱調理器の制御回路ブロック図
【図４】本発明の実施例３における加熱調理器の蓋の外観図
【図５】同加熱調理器の蓋をしたときの断面図
【図６】本発明の実施例５、６における加熱調理器の外観図
【図７】同加熱調理器の要部断面図
【図８】同加熱調理器の制御回路ブロック図
【図９】本発明の実施例７における加熱調理器の外観図
【図１０】同加熱調理器の要部断面図
【図１１】同加熱調理器の高温表示部の絵図
【図１２】本発明の実施例８における加熱調理器の断面図
【図１３】本発明の実施例９における加熱調理器の蓋の外観図
【図１４】同加熱調理器の蓋をしたときの断面図
【図１５】従来の加熱調理器の外観図
【図１６】同加熱調理器の断面図
【符号の説明】
５  耐熱ガラス
１２  発熱体（加熱手段）
１３  操作部
１８  被加熱物
３２  ブザー（警告音発生手段）
３３  マイコン（制御手段）
３４、４５  蓋
３８  ランプ
４１  高温表示部
４２  サーモクロミズム材
４４  凹形状
【図１】
0003794127.tif 000002
【図２】
0003794127.tif 000003
【図３】
0003794127.tif 000004
【図４】
0003794127.tif 000005
【図５】
0003794127.tif 000006
【図６】
0003794127.tif 000007
【図７】
0003794127.tif 000008
【図８】
0003794127.tif 000009
【図９】
0003794127.tif 000010
【図１０】
0003794127.tif 000011
【図１１】
0003794127.tif 000012
【図１２】
0003794127.tif 000013
【図１３】
0003794127.tif 000014
【図１４】
0003794127.tif 000015
【図１５】
0003794127.tif 000016
【図１６】
0003794127.tif 000017